(57)【要約】【課題】  ボーリングボールの出し入れが容易で且つ、そのボールを正面側から見やすい収納棚の提供。【解決手段】  上下に離間した上部棚板１と下部棚板２とを有し、その上部棚板１は水平面に対して手前側に傾斜して配置され、それぞれの棚板にボーリングボール７の直径よりも小なるボール保持孔４が設けられたもの。【選択図】        図１
2005160868.tif 000002
【特許請求の範囲】
【請求項１】
上下に離間して配置された上部棚板(1) と下部棚板(2) とを有し、それらの棚板(1) (2) が少なくとも一対の側材(3) で保持され、
少なくとも上部棚板(1) は、その断面が水平面に対してボール取出し側の手前側に下向きに傾斜して配置され、それらの棚板(1) (2) にボーリングボール(7) の直径よりも小なるボール保持孔(4) が形成されたボーリングボールの収納棚。
【請求項２】
請求項１において、
下部棚板(2) は、その断面が水平に配置されたボーリングボールの収納棚。
【請求項３】
請求項１または請求項２において、
夫々の前記ボール保持孔(4) の開口直径が、１０cm〜１６cmであり、その開口の断面内周が垂直またはボーリングボール(7) に整合する円弧状に形成されたボーリングボールの収納棚。
【請求項４】
請求項１〜請求項３において、
最上位置の上部棚板(1) の上方に、その上部棚板(1) に平行に天板(5) が配置され、その天板(5) の幅方向先端縁に書類の滑り止め材(6) が配置されたボーリングボールの収納棚。
【発明の詳細な説明】
【技術分野】
【０００１】
本発明は、複数のボーリングボールを収納することができるボーリングボールの収納棚に関する。
【背景技術】
【０００２】
多数のボーリングボールを載置するものとして、下記特許文献のボール置台付きボーリング用ロッカーやボーリング施設のボール収納棚が知られている。前者は多数の仕切りにより内部を区画された多数のロッカーを有し、そのロッカー内にはボールまたはボーリング鞄等を収納することができ、その天板上にはボール置台が水平に設けられ、そこに多数のボール置き受け金を並列したものである。また、そのロッカーの天板の外周縁には、ボール落下防止柵が設けられている。後者は、多数の仕切りにより内部を区画された多数のボール収納棚が設けられたものである。
【０００３】
【特許文献１】実公平２−４２１８３号公報
【特許文献２】特開平１０−１１８２４４号公報
【発明の開示】
【発明が解決しようとする課題】
【０００４】
従来のボーリングボールの収納棚は、箱状に区画された内部にボールを収納していた。このような収納棚は、扉をあけてボールを手前に引き出すものである。また、ロッカーの天板上に環状のボール置き受け金を突出させたものにおいては、そこにボールを置いたとき、その取出しのためにはボールを一旦上方に持ち上げて手前に引く必要がある。何れにしてもこれらは、ボールの収納および取出しが面倒である欠点があった。
【０００５】
最近のボーリングボールはカラフルに彩色されたものが多く、各種色および模様を有し、外観が極めてきれいで、装飾的価値がある。このようなボールは室内の装飾としても使用できる。
そこで、本発明は、収納棚に収納した状態で、複数のボールをよりよく見られると共に、その出し入れが容易なボーリングボールの収納棚を提供することを目的とする。
【課題を解決するための手段】
【０００６】
請求項１に記載の本発明は、上下に離間して配置された上部棚板(1) と下部棚板(2) とを有し、それらの棚板(1) (2) が少なくとも一対の側材(3) で保持され、
少なくとも上部棚板(1) は、その断面が水平面に対してボールの取出し側の手前側に下向きに傾斜して配置され、それらの棚板(1) (2) にボーリングボール(7) の直径よりも小なるボール保持孔(4) が形成されたボーリングボールの収納棚である。
【０００７】
また上記構成において、下部棚板２をその断面が水平になるように配置することができる。
更には、上記何れかの収納棚において、ボール保持孔４の開口直径を１０cm〜１６cmとし、その開口の断面内周を垂直またはボーリングボールに整合する円弧状に形成することができる。
更には、上記何れかの構成において、最上位置の上部棚板１の上方に、上部棚板１に平行に天板５を配置し、その天板５の幅方向先端縁に滑り止め材６を配置することができる。
【発明の効果】
【０００８】
本発明のボーリングボールの収納棚は、少なくとも上部棚板１の断面が水平面に対してボール取出し側の手前側に下向きに傾斜して配置されているから、そのボール保持孔４にボーリングボール７を保持させたとき、収納棚の正面側からボーリングボール７を取り出し易い。即ち、ボーリングボール７を手前側に引くのみで収納棚９からそれを取り出すことができる。従来の収納棚のようにボーリングボール７をボール保持孔から持ち上げる必要が殆どない。そのためボーリングボール７を取り出し易いと共に、収納も容易である。    
【０００９】
また、上部棚板１が下向きに傾斜しているため、収納棚９の正面側からボーリングボール７表面をより多く見ることができる。これは正面から見てボール保持孔４がボールの裏側に殆ど有るからである。従って、特に各種模様を有するカラーボールをそこに配置した場合、装飾効果の高いものとなる。即ち、上部棚板１が水平に配置されている場合よりも、本発明のようにそれが斜めに配置されているほうが、正面側からのボーリングボール７の視認範囲が大きくなり、カラーボール等を見る楽しみを増すことができる。
【００１０】
上記収納棚において、下部棚板２はその断面を水平に配置することができる。この場合には、正面において下部棚板２を下向きに目視するため、そのボール保持孔４がやはりボールの裏側に位置するため、ボーリングボール７全体をよく見ることができる。また、下部棚板２が床面近くに存在するため、それが水平に配置されていても、ボーリングボール７を容易に収納棚９から取り出すことができる。また、水平な下部棚板２と傾斜した上部棚板１との間隔が大きくなり、下部棚板２上のボーリングボール７の出し入れが容易になる。
【００１１】
上記何れかの収納棚において、ボール保持孔４の開口直径を１０cm〜１６cmとすることができる。その場合には、更にボーリングボール７をボール保持孔４から取り出しやすいと共に、収納棚９の正面側でボーリングボール７の目視できる表面をより大きくすることができる。
更に、そのボール保持孔４の開口の断面を垂直またはボーリングボールに整合する円弧状に形成することができる。垂直の場合には、そのボール保持孔４の成形が容易である。また、ボール保持孔４の断面を円弧状にする場合には、ボーリングボール７の座りがより安定する。
【発明を実施するための最良の形態】
【００１２】
次に、図面に基づいて本発明の実施の形態につき説明する。図１は本発明の収納棚９の縦断面図であって、図２におけるＩ−Ｉ矢視断面図、図２は同収納棚９の正面図である。  このボーリングボールの収納棚は、図１，図２に示す如く、左右に離間して側材３が一対づつ配置され、それらの間に複数（この例では二段）の上部棚板１とその下方に下部棚板２が配置されている。それぞれの棚板の間隔はボーリングボール７の直径よりも十分大に形成されている。そして最上位には天板５が配置され、天板５の幅方向の縁部に滑り止め材６が設けられている。
【００１３】
上部棚板１は、図１および図２に示す如く、その横断面が水平面に対して手前側（正面側であってボールを出し入れする側）に下向きになる傾斜面とされている。また、下部棚板２はその平面が水平に配置されている。それぞれの棚板には、１以上（この例では各棚板に２つ）のボール保持孔４が形成されている。なお、この例ではボール保持孔４はその断面において上部棚板１の平面に垂直に形成されているが、図３の如くボーリングボール７の外周に整合するように、それを円弧状に形成してもよい。
【００１４】
なお、側材３は図１の如く、前後に離間して夫々一対配置され、それらの間が空間になっている。そのため、収納棚９の両脇からもその空間を通してボーリングボール７を見ることができる。また、裏面側には裏板８が取付けられ、その上端が天板５から突出する。この例では裏板８の上端部は図２の如く弧状に体裁よく形成されている。
なお、ボーリングボール７の直径は 8.5〜 8.6インチ（21.5〜 21.84cm）で、重さは16ポンド（7.26kg）以下であり、材質はプラスチックとウレタンに大別され、ボールに設けられる孔は通常３個であり、５個まで開けることができるものである。
【００１５】
そこで、ボール保持孔４はボーリングボール７の直径よりも小さいことが必要であり、好ましくは１０cm〜１６cmの直径がよく、最適は１３cm程である。また、上部棚板１の傾斜角度は取り出し易さおよびボーリングボール７の視認が容易なように水平に対して１５度〜２０度程度が好ましい。
なお、上部棚板１の取付け角度は、下段ほどよりその角度を小さくすることもできる。その場合には更にボーリングボール７が取り出しやすく収納しやすいと共に、ボーリングボール７を正面側からより大きく見ることができる。
【００１６】
さらにこの例では、天板５は書類やカタログ等をその上に置くことができるように、天板５の下端縁に滑り止め材６が突設されている。また、天板５と最上段の上部棚板１とは並行に配置され、それにより両者間の空間を広く取ることができると共に、ボーリングボール７の取出しや収納が容易となる。
【図面の簡単な説明】
【００１７】
【図１】本発明の収納棚９の縦断面図であって、図２のＩ−Ｉ矢視断面図。
【図２】同収納棚９の正面図。
【図３】本発明の収納棚９の上部棚板１の他の例を示す横断面図。
【符号の説明】
【００１８】
１  上部棚板
２  下部棚板
３  側材
４  ボール保持孔
５  天板
６  滑り止め材
７  ボーリングボール
８  裏板
９  収納棚
【図１】
2005160868.tif 000003
【図２】
2005160868.tif 000004
【図３】
2005160868.tif 000005